(57)【要約】【課題】開状態と閉状態とを有し、外側に操作スイッチが配置された電気機器において、操作性を損なうことなく誤動作を防止することのできる電気機器を提供する。【解決手段】本体部１と、本体部１に対して開閉可能に取り付けられた蓋体２と、蓋体の本体部に対する開閉状態を検知するための検知部５６と、当該電気機器の、前記蓋体が前記本体部に対して閉状態にあるときに操作可能な場所に設けられている操作スイッチ６と、操作スイッチに対する操作を有効とする状態と、無効とする状態とを切り替え、有効とする状態において、操作に応じて動作を実行するよう制御するための制御部として機能するメインＣＰＵ１０ａとを備え、メインＣＰＵは、蓋体が本体部に対して開状態である第１の期間、および、蓋体が本体部に対して開状態から閉状態に移行した時点を含む第２の期間に、操作スイッチに対する操作を無効状態とすることを特徴とする。【選択図】図９
2014014426.tif 000002
【特許請求の範囲】
【請求項１】
本体部と、
前記本体部に対して開閉可能に取り付けられた蓋体と、
前記蓋体の前記本体部に対する開閉状態を検知するための検知部と、
当該電気機器の、前記蓋体が前記本体部に対して閉状態にあるときに操作可能な場所に設けられている操作スイッチと、
前記操作スイッチに対する操作を有効とする状態と、無効とする状態とを切り替えるための制御部とを備え、
前記制御部は、前記蓋体が前記本体部に対して開状態である第１の期間、および、前記蓋体が前記本体部に対して開状態から閉状態に移行した時点を含む第２の期間に、前記操作スイッチに対する操作を無効状態とすることを特徴とする、電気機器。
【請求項２】
前記第２の期間は、前記蓋体が前記本体部に対して開状態から閉状態に移行した時点から、予め規定された所定期間である、請求項１に記載の電気機器。
【請求項３】
前記制御部は、前記第１の期間または前記第２の期間に開始され、前記第２の期間終了後まで継続している前記操作スイッチに対する操作を無効とする、請求項１または２に記載の電気機器。
【請求項４】
報知部をさらに備え、
前記制御部は、前記操作スイッチに対する操作に関する現在の状態が有効とする状態であるか無効とする状態であるか少なくとも一方の状態であることをユーザに対して報知する動作を前記報知部に実行させる、請求項１〜３のいずれかに記載の電気機器。
【請求項５】
炊飯機能を有する、請求項１〜４のいずれかに記載の電気機器。
【請求項６】
前記本体部は被加熱物を収容するための釜を収納し、
前記蓋体は前記本体部の上部に開閉可能に取り付けられて、前記釜を覆うように閉じることが可能であり、
前記操作スイッチは前記本体部および／または前記蓋体の外面に設けられる、請求項５に記載の電気機器。
【発明の詳細な説明】
【技術分野】
【０００１】
この発明は電気機器に関し、特に、開状態と閉状態とを有し、外側に操作スイッチが配置された電気機器に関する。
【背景技術】
【０００２】
特開平１１−５６６０７号公報（以下、特許文献１）にも開示されているように、開状態と閉状態とを有する電気機器の一例として、炊飯器の蓋の上面や本体側面などに操作スイッチが配置される場合がある。この操作スイッチはタッチキーで構成される場合もある。このような位置に配置されることで、ユーザは操作しやすくなる。
【先行技術文献】
【特許文献】
【０００３】
【特許文献１】特開平１１−５６６０７号公報
【特許文献２】特開２０００−２６２３９９号公報
【発明の概要】
【発明が解決しようとする課題】
【０００４】
上記のように電気機器の外周に操作スイッチが配置されると、ユーザは閉状態のままでも操作可能となって操作性は向上するものの、操作する意図なく指等が触れる可能性が高まるため、誤操作を引き起こす可能性も高まる、という問題がある。すなわち、上述のように、電気機器の一例としての炊飯器では蓋の上面や本体側面に配置される場合には、蓋を閉める動作や開ける動作の際に指等が触れる可能性がある。
【０００５】
誤動作を防止するために、開状態では外周に配置された操作スイッチによる操作を無効にすることが考えられる。しかしながら、操作スイッチに指等が触れた状態のまま閉状態とした場合には、閉状態となった時に操作スイッチがＯＮされているため、誤動作を引き起こすことになる、という問題がある。特に、操作スイッチがタッチキーである場合には、誤動作の可能性が高くなる。
【０００６】
本発明はこのような問題に鑑みてなされたものであって、開状態と閉状態とを有し、外側に操作スイッチが配置された電気機器において、操作性を損なうことなく誤動作を防止することのできる電気機器を提供することを目的としている。
【課題を解決するための手段】
【０００７】
上記目的を達成するために、本発明のある局面に従うと、電気機器は、本体部と、本体部に対して開閉可能に取り付けられた蓋体と、蓋体の本体部に対する開閉状態を検知するための検知部と、当該電気機器の、蓋体が本体部に対して閉状態にあるときに操作可能な場所に設けられている操作スイッチと、操作スイッチに対する操作を有効とする状態と、無効とする状態とを切り替え、有効とする状態において、操作に応じて動作を実行するよう制御するための制御部とを備え、制御部は、蓋体が本体部に対して開状態である第１の期間、および、蓋体が本体部に対して開状態から閉状態に移行した時点を含む第２の期間に、操作スイッチに対する操作を無効状態とすることを特徴とする。
【０００８】
本発明によれば、ユーザの操作性を損なうことなく誤作動を防止することができる。
好ましくは、第２の期間は、蓋体が本体部に対して開状態から閉状態に移行した時点から、予め規定された所定期間である。
【０００９】
本発明によれば、蓋体が本体部に対して開状態から閉状態に移行した時点から、予め規定された所定期間における指等の接触に基づく誤動作を防止することができる。
【００１０】
好ましくは、制御部は、第１の期間または第２の期間に開始され、第２の期間終了後まで継続している操作スイッチに対する操作を無効とする。
【００１１】
本発明によれば、第１の期間または第２の期間に開始され、第２の期間終了後まで継続している指等の接触に基づく誤動作を防止することができる。
【００１２】
好ましくは、電気機器は報知部をさらに備え、制御部は、操作スイッチに対する操作に関する現在の状態が有効とする状態であるか無効とする状態であるか少なくとも一方の状態であることをユーザに対して報知する動作を報知部に実行させる。
【００１３】
本発明によれば、ユーザは操作スイッチに対する操作に関する現在の状態が有効とする状態であるか無効とする状態であるかを認識することができる。
【００１４】
好ましくは、電気機器は炊飯機能を有する。
本発明によれば、炊飯機能を有する電気機器においてユーザの操作性を損なうことなく誤作動を防止することができる。
【００１５】
より好ましくは、本体部は被加熱物を収容するための釜を収納し、蓋体は本体部の上部に開閉可能に取り付けられて、釜を覆うように閉じることが可能であり、操作スイッチは本体部および／または蓋体の外面に設けられる。
【００１６】
本発明によれば、本体部が被加熱物を収容するための釜を収納し、蓋体が本体部の上部に開閉可能に取り付けられて、釜を覆うように閉じることが可能であり、操作スイッチが本体部および／または蓋体の外面に設けられている、炊飯機能を有する電気機器において、ユーザの操作性を損なうことなく誤作動を防止することができる。
【発明の効果】
【００１７】
この発明によると、開状態と閉状態とを有し、外側に操作スイッチが配置された電気機器において、操作性を損なうことなく誤動作を防止することができる。
【図面の簡単な説明】
【００１８】
【図１】実施の形態にかかる炊飯器の蓋体閉鎖時の概略斜視図である。
【図２】炊飯器の蓋体開放時の概略斜視図である。
【図３】炊飯器の回転体の概略下面図である。
【図４】第１，第２撹拌体の撹拌状態を説明するための概略斜視図である。
【図５】炊飯器の概略上面図である。
【図６】炊飯器の液晶表示部の拡大図である。
【図７】炊飯器の概略断面図である。
【図８】炊飯器の制御系の構成の概要を表わしたブロック図である。
【図９】図８の制御系構成の内のメイン制御系の詳細を表わしたブロック図である。
【図１０】図８の制御構成の内のサブ制御系の詳細を表わしたブロック図である。
【図１１】メインＣＰＵでの、操作スイッチの操作が検出された際の動作の流れを表わすフローチャートである。
【発明を実施するための形態】
【００１９】
以下に、図面を参照しつつ、本発明の実施の形態について説明する。以下の説明では、同一の部品および構成要素には同一の符号を付してある。それらの名称および機能も同じである。
【００２０】
以下の例においては、本発明にかかる電気機器の具体例として加熱調理機器である炊飯器を挙げて説明する。もちろん、電気機器は炊飯器に限定されず、オーブンや電子レンジ等の他の加熱調理機器であってもよいし、加熱調理機器に限定されず、洗濯機や掃除機などの他の家電機器であってもよいし、家電機器に限定されずＣＤプレーヤや携帯電話機等の一般的な電気機器であってもよい。本発明にかかる電気機器は、たとえば蓋の開け閉め等による開状態と閉状態とを有し、操作スイッチが外周等の、閉状態であるときに操作可能な場所に配置されている電気機器であれば、どのようなものであってもよい。
【００２１】
このような電気機器は、炊飯器や洗濯機、ＣＤプレーヤなど、内部に物体を収容する形態であって、収納するための収容空間を有する本体部に対して蓋体が開閉可能に設けられるものを指す。内部に物体を収納しない装置である場合には、開閉状態をとる一方の匡体を「本体部」、他方の匡体を「蓋体」と称することができる。たとえば当該電気機器が開閉式の携帯電話機である場合、数字キー等が設けられている側の匡体を「本体部」、液晶画面が備えられている方の匡体を「蓋体」と称することができる。
【００２２】
＜装置構成＞
図１は、本実施の形態にかかる炊飯器１００を斜め上方から見た概略斜視図である。
【００２３】
図１を参照して、炊飯器１００は、炊飯器本体１と、炊飯器本体１に開閉可能に取り付けられた蓋体２とを含む。炊飯器本体１は蓋体２に対して下部に位置する。
【００２４】
炊飯器本体１の前面には、蓋体２を開けるための開ボタン３が配される。炊飯器本体１の後面には電源コード４７が配される。この電源コード４７の大部分は、炊飯器本体１内のコードリール(図示せず)に引き出し可能に巻き付けられていている。
【００２５】
蓋体２の上面の前部には、炊き方や調理名などを表示する液晶表示部５と、複数の操作スイッチ６とが配され、さらに、操作スイッチ６には動作状態を表わすためのＬＥＤ（Light Emitting Diode）インジケータ６１が設けられている。操作スイッチ６は物理的な押下を受け付けるスイッチであってもよいし、静電容量式タッチキーであってもよい。操作スイッチ６が静電容量式タッチキーである場合には、インジケータ６１に替えてタッチキーのバックライトが用いられてもよい。なお、液晶表示部５は表示部の一例である。
【００２６】
蓋体２の上面の後部には、内鍋７（図２）内の蒸気を排出するための蒸気排出口２ａが設けられる。
【００２７】
図２は、蓋体２を開いた状態の炊飯器１００の概略斜視図である。
図２を参照して、炊飯器本体１には、被加熱物の一例としての米や水などを収容するための内鍋７が収納されている。
【００２８】
炊飯器本体１の上面の前部には被係止部８が設けられており、蓋体２の下面の前部には係止部２３が設けられている。被係止部８には係止部２３が解除可能に係止する。
【００２９】
炊飯器本体１内には、蓋体２をロックするための蓋ロック部９が設けられている。蓋ロック部９が蓋体２をロックしていないときには、開ボタン３を押すと被係止部８が後方に移動するため、被係止部８に対する係止部２３の係止は解除される。蓋ロック部９が蓋体２をロックしているときは、開ボタン３を押しても被係止部８が後方に移動しないため、被係止部８に対する係止部２３の係止は解除されない。
【００３０】
蓋体２は、蓋体２を閉じたときに内鍋７側とは反対側に位置する外蓋２１と、蓋体２を閉じたときに内鍋７側に位置する内蓋２２とを含む。
【００３１】
外蓋２１内には撹拌モータ２４が設置されている。外蓋２１の中央部内には回転可能に連結軸（図示せず）が設置され、撹拌モータ２４が発生した回転駆動力を、プーリ（図示せず）やベルト（図示せず）を介して受けて回転する。
【００３２】
炊飯器本体１と蓋体２との間には回転体２５が回転可能に配置されて、蓋体２に着脱可能に取り付けられている。より詳しくは、回転体２５の蓋体２側の部分からは回転軸２９の一方の端部が突出している（図４参照）。回転軸２９は、一方の端部が外蓋２１の上記連結軸に着脱可能に連結されて、上記連結軸と一体に回転する。また、回転軸２９は回転体２５に対して回転可能となっている。
【００３３】
回転体２５には第１，第２撹拌体２６Ａ，２６Ｂ（これらを代表させて撹拌体２６とも称する）が取り付けられている。第１，第２撹拌体２６Ａ，２６Ｂは、それぞれ、径方向において回転体２５と隣り合って、内鍋７内の米などに接触した撹拌状態と、内鍋７内の米などから乖離した非撹拌状態とを切替可能になっている。すなわち、第１，第２撹拌体２６Ａ，２６Ｂのそれぞれは、一方の端部が回転体２５に回動可能に取り付けられて、他方の端部が、回転体２５から離れたり、回転体２５に近づいたりすることが可能になっている。なお、第１，第２撹拌体２６Ａ，２６Ｂは撹拌体の一例である。
【００３４】
図３は、回転体２５を内鍋７側から見た概略図である。
回転体２５は、蓋体側部材２７と、この蓋体側部材２７の内鍋７側の表面に着脱可能に取り付けられた内鍋側部材２８とを有している。蓋体側部材２７と内鍋側部材２８との間には、第１，第２撹拌体兼用傘ギア３０と、第１撹拌体用ギア３１Ａ，３２Ａ，３３Ａと、第２撹拌体用ギア３１Ｂ，３２Ｂ，３３Ｂとが配置されている。回転軸２９の回転駆動は、第１，第２撹拌体兼用傘ギア３０および第１撹拌体用ギア３１Ａ，３２Ａ，３３Ａを介して第１撹拌体用回動軸３４Ａに伝わると共に、第１，第２撹拌体兼用傘ギア３０および第２撹拌体用ギア３１Ｂ，３２Ｂ，３３Ｂを介して第２撹拌体用回動軸３４Ｂに伝わる。これにより、回転軸２９が回転すれば、第１，第２撹拌体２６Ａ，２６Ｂを第１，第２撹拌体用回動軸３４Ａ，３４Ｂを中心に回動させて、図２，図３に示す非撹拌状態から図４に示す撹拌状態に切り替えたり、上記撹拌状態から上記非撹拌状態に切り替えたりすることが可能になっている。
【００３５】
なお、図４では、第１，第２撹拌体２６Ａ，２６Ｂを視認できるように、炊飯器本体１および蓋体２の図示を省略している。
【００３６】
図５は、炊飯器１００を上方から見た概略上面図である。
図５を参照して、蓋体２の上面の前部には表示部の一例としての液晶表示部５と、液晶表示部５を囲むように配置された複数の操作スイッチ６とが設けられている。
【００３７】
操作スイッチ６は、保温／取消スイッチ６Ａと、お料理選択スイッチ６Ｂと、炊飯選択スイッチ６Ｃと、炊飯／スタートスイッチ６Ｄと、洗米スイッチ６Ｅと、予約スイッチ６Ｆと、下方向スイッチ６Ｇと、上方向スイッチ６Ｈとを含む。各操作スイッチ６Ａ〜６Ｈには、それぞれＬＥＤインジケータ６１Ａ〜６１Ｈが設けられている。
【００３８】
保温／取消スイッチ６Ａは、保温の開始、または開始した調理や選択内容などの取り消しを指示するためのスイッチであって、ＬＥＤインジケータ６１Ａが点灯していることで保温状態であることを表わす。
【００３９】
お料理選択スイッチ６Ｂは、予め記憶されている調理メニュー内から実行する調理メニューを選択するためのスイッチであって、押すたびに予め規定された順で調理メニューが選択状態となる。ＬＥＤインジケータ６１Ｂが点灯していることで調理メニューが選択された状態であることを表わす。
【００４０】
炊飯選択スイッチ６Ｃは、予め記憶されている炊飯メニューの内から実行する炊飯メニューを選択するためのスイッチであって、押すたびに予め規定された順で炊飯メニューが選択状態となる。ＬＥＤインジケータ６１Ｃが点灯していることで炊飯メニューが選択された状態であることを表わす。
【００４１】
炊飯／スタートスイッチ６Ｄは、炊飯メニューや調理メニューや後述する洗米メニューのスタートを指示するためのスイッチであって、押すことで、先に選択されているメニューに対応したプログラムに従った動作（調理等）が開始される。ＬＥＤインジケータ６１Ｄが点灯していることで炊飯メニュー、調理メニュー、または洗米メニューが実行中の状態であることを表わす。
【００４２】
洗米スイッチ６Ｅは、内鍋７に収容された米を水洗いする動作メニューである洗米メニューを選択するためのスイッチである。ＬＥＤインジケータ６１Ｅが点灯していることで洗米メニューが選択された状態であることを表わす。
【００４３】
予約スイッチ６Ｆは、炊飯メニューや調理メニューや洗米メニューなどの開始の予約を指示するためのスイッチであって、押すことで、先に選択されているメニューの開始までの時間（予約時間）を受け付ける状態となる。ＬＥＤインジケータ６１Ｆが点灯していることで炊飯メニューや調理メニューや洗米メニューなどの開始が予約された状態であることを表わす。
【００４４】
下方向スイッチ６Ｇおよび上方向スイッチ６Ｈは、選択内容や設定時間を先または後へ送る（先送り、後送り）ことを指示するためのスイッチである。ＬＥＤインジケータ６１Ｇ，６１Ｈが点灯していることで先送り操作または後送り操作がなされている状態であることを表わす。
【００４５】
図６は、液晶表示部５の拡大図であり、液晶表示部５が表示可能な文字および図をすべて図示している。
【００４６】
液晶表示部５は、米の種類を表示するための米表示部５ａと、米の炊き方を表示するための炊き方表示部５ｂと、調理メニューを表示するための調理表示部５ｃと、回転体２５や第１，第２撹拌体２６Ａ，２６Ｂによる内鍋７内の撹拌状態を表示するための内部状態表示部５ｄと、時間表示部５ｅと、操作スイッチ６での操作状態を表示するための操作状態表示部５ｆとを含む。
【００４７】
米表示部５ａは、一例として、「白米」、「無洗米」、「玄米」、「発芽玄米」および「分づき米」のうちの１つを表示する。
【００４８】
炊き方表示部５ｂは、一例として、「ごはん」、「極上」、「おいそぎ」、「炊きこみ」、「おかゆ」、「極美がゆ」、「カレー用」、「少量」、「おこげ」、「すしめし」および「エコ炊飯」のうちの１つを表示する。
【００４９】
調理表示部５ｃは、一例として、「煮物」、「シチュー」、「蒸し物」、「お菓子」、「マイメニュー」、「予約１」および「予約２」のうちの１つを表示する。
【００５０】
これらの米表示部５ａ、炊き方表示部５ｂ、調理表示部５ｃの表示は、操作スイッチ６の操作に応じて変化する。
【００５１】
内部状態表示部５ｄの表示は、回転体２５および第１，第２撹拌体２６Ａ，２６Ｂの状態に応じて変化する。
【００５２】
時間表示部５ｅの表示は時間または調理工程の経過に伴って変化する。
操作状態表示部５ｆは、操作スイッチ６での操作が無効状態となっていることを表示する。
【００５３】
図７は、炊飯器１００を鉛直面で切った断面の概略図である。
炊飯器１００は、上記炊飯器本体１と、炊飯器本体１内に収納される内鍋７と、炊飯器本体１の上部に開閉可能に取り付けられ、内鍋７を覆うように閉じることが可能な蓋体２と、蓋体２を閉じたときに内鍋７側とは反対側に位置する外蓋２１と、蓋体２を閉じたときに内鍋７側に位置する内蓋２２と、内蓋２２を加熱するための蓋ヒータ４ａと、内鍋７の側面を加熱することで内鍋７内の被加熱物を保温するための保温ヒータ４ｂと、炊飯器本体１内の下側に配置され、内鍋７を誘導加熱するための誘導コイル４ｃと、内鍋７の温度を検知するための温度センサ１５ａと、内鍋７に収容された被加熱物の重量を検知するための重量センサ１５ｂと、蓋体２に着脱可能に取り付けられた回転体２５とを含む。なお、誘導コイル４ｃは加熱部の一例である。
【００５４】
外蓋２１内には撹拌モータ２４が設置されている。回転体２５の回転軸２９は内蓋２２を貫通し、その一方の端部が図示しないプーリやベルトを介して撹拌モータ２４に接続されている。
【００５５】
外蓋２１の表面には液晶表示部５および操作スイッチ６が設けられ、外蓋２１内には、液晶表示部５および操作スイッチ６と接続され、その操作に従って炊飯器１００全体を制御するためのメイン制御部が含まれる。メイン制御部には、メインＣＰＵ（Central Processing Unit）１０ａと、メインＲＯＭ（Read Only Memory）１１ａおよびメインＲＡＭ（Random Access Memory）１２ａなどである記憶部とが含まれる。
【００５６】
炊飯器本体１と内鍋７との間の空間には、メインＣＰＵ１０ａからの制御信号を受けて、誘導コイル４ｃによる誘導加熱など、炊飯器本体１に含まれる各部を制御するためのサブ制御部が含まれる。サブ制御部には、サブＣＰＵ１０ｂと、サブＲＯＭ１１ｂおよびサブＲＡＭ１２ｂなどである記憶部とが含まれる。
【００５７】
サブ制御部および誘導コイル４ｃ近傍には、これらの発熱を冷却するための冷却ファン１３が配置される。
【００５８】
＜機能構成＞
図８は、炊飯器１００の制御系の構成の概要を表わしたブロック図である。
【００５９】
図８を参照して、炊飯器１００の制御系は、大きくは、蓋体２側のメイン制御系と炊飯器本体１側のサブ制御系とに分かれる。蓋体２側のメイン制御系はメインＣＰＵ１０ａを含み、炊飯器本体１側のサブ制御系はサブＣＰＵ１０ｂを含む。
【００６０】
メインＣＰＵ１０ａはメイン制御系に含まれる各機能を制御する他、サブＣＰＵ１０ｂに対して制御信号を出力して、サブＣＰＵ１０ｂにサブ制御系に含まれる各機能の制御を実行させる。また、サブＣＰＵ１０ｂは各種信号をメインＣＰＵ１０ａに対して出力する。
【００６１】
メインＣＰＵ１０ａとサブＣＰＵ１０ｂとは電気的に分離（絶縁）されている。そのため、メインＣＰＵ１０ａとサブＣＰＵ１０ｂとの間の上記信号のやり取りは、好ましくは無線通信が利用される。一例として、フォトカプラが用いられてもよい。すなわち、メイン制御系およびサブ制御系は、それぞれ、通信部５４ａ，５４ｂを含み、上記信号をやり取りする。通信部５４ａ，５４ｂは好ましくは無線通信を行ない、一例として、フォトカプラが挙げられる。
【００６２】
メイン制御系には電源回路５０ａ、サブ制御系には電源回路５０ｂ，５０ｃが含まれる。炊飯器本体１に含まれる電源コード４７（図示せず）を介して商用電源４７０から供給された交流電力は、サブ制御系の電源回路５０ｂ，５０ｃにもたらされる。
【００６３】
サブ制御系の電源回路５０ｃは供給された交流電力を直流電力に変換してサブＣＰＵ１０ｂに供給する。サブ制御系の電源回路５０ｂはメイン制御系への供給用の電源回路であって、供給された交流電力を直流電力に変換した後に、メイン制御系に供給するための交流電力に変換して絶縁トランス４０に渡す。交流電力は絶縁トランス４０において変圧された後にメイン制御系の電源回路５０ａに入力される。メイン制御系の電源回路５０ａは、入力された交流電力を直流電力に変換してメインＣＰＵ１０ａに供給する。すなわち、電源回路５０ａおよび電源回路５０ｂは、絶縁トランス４０によって電気的に絶縁されており、電磁誘導によって電源回路５０ａから電源回路５０ｂへ電気エネルギーを伝達する。
【００６４】
図９は、図８の制御系構成の内のメイン制御系の詳細を表わしたブロック図である。一部、説明のためにサブ制御系の構成も図示されている。
【００６５】
図９を参照して、メイン制御系にはメインＣＰＵ１０ａが含まれる。メインＣＰＵ１０ａは電源回路５０ａから電力供給を受けて動作する。
【００６６】
メインＣＰＵ１０ａには、メインＣＰＵ１０ａで実行されるプログラムを記憶するためのＲＯＭ１１ａと、プログラム実行の際の作業領域となるＲＡＭ１２ａとが電気的に接続される。
【００６７】
メインＣＰＵ１０ａには、さらに、通信部５４ａ、液晶表示部５、操作スイッチ６、ＬＥＤインジケータ６１、ブザー１４、タイマー１６、着脱検知部５５、モータ駆動回路５７、および蓋開閉検知部５６が電気的に接続されている。
【００６８】
メインＣＰＵ１０ａは操作スイッチ６からの操作信号の入力を受け付けることで対応するプログラムを選択し、実行する。メインＣＰＵ１０ａは、プログラムを実行することで液晶表示部５での表示、ＬＥＤインジケータ６１の点灯／消灯、ブザー１４の鳴動を制御する。また、サブ制御系に含まれる各部のうち上記プログラムの実行に基づいて制御対象となる構成を制御するための制御信号を通信部５４ａに渡すことで、サブＣＰＵ１０ｂに対して出力する。
【００６９】
モータ駆動回路５７は撹拌モータ２４を駆動させるための機構であり、メインＣＰＵ１０ａは上記プログラムの実行に従って、必要なタイミングで必要な駆動量で撹拌モータ２４を駆動させるよう、モータ駆動回路５７を制御する。なお、モータ駆動回路５７には、後述する蓋開閉検知部５６からの検知信号も入力され、その検知に応じて撹拌モータ２４を駆動／非駆動するようにしてもよい。
【００７０】
着脱検知部５５は、蓋体２に着脱可能に構成されている回転体２５の着脱を検知するための機構である。具体的な構成は特定の構成に限定されるものではないが、一例として、回転体２５の回転軸２９に動力を伝える撹拌モータ２４のパルス信号に基づいてその回転量を判断し、回転体２５の着脱を検知する構成が挙げられる。他の構成として、たとえば着脱を検知するためのセンサを用いてもよい。
【００７１】
蓋開閉検知部５６は蓋体２の炊飯器本体１に対する開閉状態を検知するための機構である。具体的な構成は特定の構成に限定されるものではないが、一例として、被係止部８に対する係止部２３の係止を検知するためのセンサを用いてもよい。
【００７２】
また、図９の構成の他、回転体２５に対する撹拌体２６の状態（撹拌状態、非撹拌状態）を検知するための機構が含まれてもよい。この機構の構成もまた特定の構成に限定されるものではないが、たとえば、センサを用いてもよいし、撹拌モータ２４のパルス信号に基づいてその回転量を判断することで撹拌体２６の状態を検知してもよい。
【００７３】
これらの検知信号はメインＣＰＵ１０ａに入力され、必要に応じて制御に用いられる。
図１０は、図８の制御構成の内のサブ制御系の詳細を表わしたブロック図である。一部、説明のためにメイン制御系の構成も図示されている。
【００７４】
図１０を参照して、サブ制御系にはサブＣＰＵ１０ｂが含まれる。サブＣＰＵ１０ｂは電源回路５０ｃから電力供給を受けて動作する。
【００７５】
サブＣＰＵ１０ｂには、同期検出部４３、ＩＧＢＴ（Insulated Gate Bipolar Transistor：絶縁ゲートバイポーラトランジスタ）４５、カレントトランス５９、リレー５１ａ，５１ｂ、パルス信号を発生させるための発振回路５２、蓋ロック駆動部４４、ファン駆動回路５８、温度検知回路４１、およびリセット制御を行なうためのリセット回路５３が電気的に接続されている。
【００７６】
商用電源４７０からの電力線は、リレー５１ｃを経て整流回路４８に接続されている。商用電源４７０から整流回路４８までの間にはカレントトランス５９が接続される。カレントトランス５９は、電力線に流れる電流を検出し、検出値をサブＣＰＵ１０ｂに対して出力する。
【００７７】
整流回路４８にはチョークコイル４２を経てコンデンサ４６，４９が接続され、コンデンサ４６に並列に誘導コイル４ｃが接続されている。整流回路４８によって直流に変換された電力がチョークコイル４２およびコンデンサ４９からなる平滑回路を経て誘導コイル４ｃに供給される。コンデンサ４６および誘導コイル４ｃはＩＧＢＴ４５を経てサブＣＰＵ１０ｂに接続されている。
【００７８】
さらに、商用電源４７０からの電力線は、ダイオードＤ１，Ｄ２を経て蓋ヒータ４ａおよび保温ヒータ４ｂに接続され、これらヒータに電力が供給される。蓋ヒータ４ａおよび保温ヒータ４ｂへの給電経路には、リレー５１ａ，５１ｂが接続される。リレー５１ａ，５１ｂはサブＣＰＵ１０ｂからの制御信号に応答してＯＮ／ＯＦＦされる。リレー５１ａ，５１ｂは、蓋ヒータ４ａ、保温ヒータ４ｂへの給電経路を遮断可能な「開閉装置」を構成する。
【００７９】
サブＣＰＵ１０ｂにはさらに通信部５４ｂが電気的に接続され、メインＣＰＵ１０ａからの制御信号を通信部５４ｂで受信してその制御信号に従って各部を制御する。このとき、サブＣＰＵ１０ｂは、ＲＯＭ１１ｂに記憶されているプログラムを読み出してＲＡＭ１２ｂに展開しつつ実行するようにしてもよい。
【００８０】
すなわち、サブＣＰＵ１０ｂは、メインＣＰＵ１０ａからの制御信号に従ってＩＧＢＴ４５のＯＮ／ＯＦＦを制御することで、誘導コイル４ｃでの加熱を制御する。このとき、同期検出部４３が商用電源４７０から供給される交流電力から同期信号を抽出し、サブＣＰＵ１０ｂに入力する。サブＣＰＵ１０ｂは、同期信号に基づくタイミングでＩＧＢＴ４５のＯＮ／ＯＦＦを制御する。
【００８１】
また、サブＣＰＵ１０ｂは、メインＣＰＵ１０ａからの制御信号に従ってリレー５１ａ，５１ｂのＯＮ／ＯＦＦを制御することで、蓋ヒータ４ａおよび保温ヒータ４ｂでの加熱、保温を制御する。
【００８２】
蓋ロック駆動部４４は蓋ロック部９を駆動させるための機構であり、サブＣＰＵ１０ｂはメインＣＰＵ１０ａからの制御信号に従って蓋ロック部９に施錠／解錠させるよう蓋ロック駆動部４４を制御する。
【００８３】
ファン駆動回路５８は冷却ファン１３を駆動させるための機構であり、サブＣＰＵ１０ｂはメインＣＰＵ１０ａからの制御信号に従って冷却ファン１３を駆動させるよう、ファン駆動回路５８を制御する。
【００８４】
温度検知回路４１は内鍋７内の温度を検知するための機構であり、温度センサ１５ａからのセンサ信号に基づいて温度を検知して、検知信号をサブＣＰＵ１０ｂに入力する。
【００８５】
リレー５１ｃは、商用電源４７０から供給された電力の、蓋ヒータ４ａ、保温ヒータ４ｂ、および誘導コイル４ｃへの供給を遮断する。リレー５１ｃの励磁コイルは、メイン制御系のメインＣＰＵ１０ａに接続される。メインＣＰＵ１０ａから励磁コイルに電力が供給されると、リレー５１ｃの接点が閉成（ＯＦＦ）される。励磁コイルの非通電時には、リレー５１ｃに接点が開放（ＯＮ）される。すなわち、メイン制御系のメインＣＰＵ１０ａは、実行するプログラムに従って蓋ヒータ４ａ、保温ヒータ４ｂ、および誘導コイル４ｃへ電力の供給を直接遮断するための制御が可能となる。
【００８６】
＜動作概要＞
炊飯器１００では、蓋体２が炊飯器本体１に対して解放された状態である場合には操作スイッチ６での入力を無効とし、閉じた状態となると操作スイッチ６での入力を有効とする。ここでの入力の無効は、メインＣＰＵ１０ａにおいて操作スイッチ６からの操作信号の入力を受け付けた上で、蓋開閉検知部５６からの検知信号に基づいてその入力を有効とするか無効とするかを判断した結果、無効とするものであってもよいし、蓋開閉検知部５６が蓋体２の解放を示す検知信号を入力しているときには、メインＣＰＵ１０ａが操作スイッチ６からの操作信号の入力を受け付けないようにしてもよい。以降の、操作スイッチ６での入力の有効、無効も同様である。
【００８７】
さらに、本実施の形態にかかる炊飯器１００では、解放された状態である蓋体２を炊飯器本体１に対して閉じた時点で操作されている操作スイッチ６での入力を無効とする。さらに、閉じた時点から所定期間、操作スイッチ６での入力を無効とする。
【００８８】
この動作を行なうため、メインＣＰＵ１０ａは、予め蓋体２が閉じた時点から所定期間、操作スイッチ６での入力を無効とする期間を設定しておく。そして、メインＣＰＵ１０ａは、蓋開閉検知部５６から蓋体２が閉じたことを検知した検知信号の入力を受け付けると、その時点から上記期間、操作スイッチ６からの操作信号の入力を無効とする。
【００８９】
なお、メインＣＰＵ１０ａは、上記期間に、操作スイッチ６での入力が無効であることを報知するようにしてもよい。この報知はユーザが認識可能な形態であればどのようなものであってもよく、たとえば、入力を有効とする操作スイッチ６のインジケータ６１を発光し、無効とする操作スイッチ６のインジケータ６１を消灯することでなされてもよいし、液晶表示部５に操作スイッチ６の有効、無効を表わす表示を設けて、無効であることおよびまたは有効であることを表示することでなされてもよいし、操作スイッチ６が静電容量式タッチキー（液晶パネル）である場合には、入力を有効とする操作スイッチ６のバックライトを発光し、無効とする操作スイッチ６のバックライトを消灯することでなされてもよい。また、操作スイッチ６が無効であることを表わすメロディー等、音によって報知されてもよい。
【００９０】
さらに、メインＣＰＵ１０ａは、上記期間に操作スイッチ６の操作がなされた場合には、その入力を無効とすることを報知するようにしてもよい。この報知もまたユーザが認識可能な形態であればどのようなものであってもよく、ブザー１４を鳴動させることで警報を発することでなされてもよいし、操作された操作スイッチ６のインジケータ６１を点滅させたり、静電容量式タッチキー（液晶パネル）である場合にはバックライトを点滅させたりすることでなされてもよい。また、入力が有効とすることを報知するようにしてもよいし、有効とするときと無効とするときとで異なる形態で報知してもよい。たとえば、ブザー１４から異なる音を発したり、インジケータ６１を異なる色や間隔で点灯させてもよい。
【００９１】
図１、図５、図７にも表わされたように、炊飯器１００では操作スイッチ６が蓋体２の上面に配置されるため、蓋体２を炊飯器本体１に対して閉じる動作の際や解放する際に指等が当たる可能性がある。図示された例に限らず、操作スイッチ６が炊飯器本体１の前面にある場合などであっても同様の可能性がある。特に、操作スイッチ６が静電容量式タッチキーで構成されている場合には、蓋体２を閉じる動作や解放する動作によって指等が接触することで誤動作する可能性が高まる。炊飯器１００において上記期間の入力が無効とされることで、蓋体２を閉める動作による誤動作を防止することができる。
【００９２】
なお、他の例として、上記期間の後の操作スイッチ６の入力であっても、蓋体２の解放時や上記期間中である入力を無効とする期間から連続して入力されているものは無効とするようにしてもよい。すなわち、蓋体２を閉める動作時に指等が当たったまま上記期間が終了した、などによって上記期間の後に指等で操作スイッチ６を押下している場合にも、その入力を無効とする。
【００９３】
この動作を行なうため、メインＣＰＵ１０ａは操作スイッチ６からの操作信号の入力を記憶しておき、その入力の開始時点が上述の入力を無効とする期間であるか否かを判断する。そして、入力を無効とする期間内に操作信号の入力が開始したものについては、上記期間終了後の操作信号の入力であってもその入力を無効とする。この場合にも、同様に、メインＣＰＵ１０ａは当該操作スイッチ６の入力が無効であることを報知するようにしてもよい。
【００９４】
＜動作フロー＞
図１１は、メインＣＰＵ１０ａでの、操作スイッチ６の操作が検出された際の動作の流れを表わすフローチャートである。図１１の動作は、メインＣＰＵ１０ａがＲＯＭ１１ａに記憶されるプログラムを読み出してＲＡＭ１２ａに展開しつつ実行し、図８〜図１０の各部を制御することによって実現される。
【００９５】
図１１を参照して、メインＣＰＵ１０ａは操作スイッチ６の操作があったことを検知すると（ステップＳ１０１でＹＥＳ）、蓋開閉検知部５６での結果に基づいて、操作時点にて蓋体２が炊飯器本体１に対して解放されているか否かを判断する。その結果、蓋体２が解放されていると判断された場合には（ステップＳ１０３でＹＥＳ）、メインＣＰＵ１０ａは検知した操作スイッチ６の操作を無効とする。このとき、メインＣＰＵ１０ａはブザー１４やＬＥＤインジケータ６１などを用いて、その操作が無効となったことを報知する（ステップＳ１１１）。
【００９６】
操作時点にて蓋体２が炊飯器本体１に対して閉じられた状態であった場合には（ステップＳ１０３でＮＯ）、メインＣＰＵ１０ａは、操作時が、蓋体２が炊飯器本体１に対して閉じられてから予め規定されている所定時間内に入るか否かを判断する。その結果、操作時が蓋体２が閉じられてから所定時間内であった場合には（ステップＳ１０５でＹＥＳ）、メインＣＰＵ１０ａは検知した操作スイッチ６の操作を無効とする。このとき、メインＣＰＵ１０ａはブザー１４やＬＥＤインジケータ６１などを用いて、その操作が無効となったことを報知する（ステップＳ１１１）。
【００９７】
操作時点が上記所定時間内ではなかった場合には（ステップＳ１０５でＮＯ）、メインＣＰＵ１０ａは、検知した操作の開始時点が、蓋体２が炊飯器本体１に対して解放されているとき、または蓋体２が炊飯器本体１に対して閉じられてから予め規定されている上記所定時間内であるか否か、つまり、上述の操作スイッチ６の操作を無効とする期間内から開始された操作であるか否かを判断する。その結果、検知した操作の開始時点が操作スイッチ６の操作を無効とする期間内であった場合には（ステップＳ１０７でＹＥＳ）、メインＣＰＵ１０ａは検知した操作スイッチ６の操作を無効とする。このとき、メインＣＰＵ１０ａはブザー１４やＬＥＤインジケータ６１などを用いて、その操作が無効となったことを報知する（ステップＳ１１１）。
【００９８】
検知した操作が上記いずれにも該当しない場合には（ステップＳ１０３，Ｓ１０５，１０７でＮＯ）、メインＣＰＵ１０ａは検知した操作スイッチ６の操作を有効として、当該操作に従う処理を実行する（ステップＳ１０９）。このとき、操作スイッチ６の操作を有効とした旨を報知するようにしてもよい。
【００９９】
＜実施の形態の効果＞
本実施の形態にかかる炊飯器１００において上記の動作が行なわれることで、蓋体２の上面や炊飯器本体１の側面などに操作スイッチ６が配置されている場合に、その操作性を確保しつつ、蓋体２の開け閉め時に指等が接触することによる誤作動を防止することができる。
【０１００】
特に、操作スイッチ６が静電式タッチパネルで構成される場合には上記誤作動が生じやすいものの、上記の動作が行なわれることで誤作動を防止することができる。
【０１０１】
先述のように、本発明にかかる電気機器は炊飯器に限定されず、オーブンや電子レンジ等の他の加熱調理機器、洗濯機や掃除機などの他の家電機器、ＣＤプレーヤや携帯電話機等の一般的な電気機器など、開状態と閉状態とを有し、外周に操作スイッチが配置された電気機器であればどのような電気機器であってもよい。これら電気機器に含まれるＣＰＵにおいて上述の動作がなされることで、開状態から閉状態とする動作によって操作スイッチに指等が接触した場合であってもそれによって動作が開始されることがないため、誤動作を防止することができる。
【０１０２】
さらに、上述の動作を炊飯器１００のメインＣＰＵ１０ａ等、電気機器のＣＰＵに実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０３】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０４】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０５】
提供されるプログラム製品は、ハードディスクなどのプログラム格納部にインストールされて実行される。なお、プログラム製品は、プログラム自体と、プログラムが記録された記録媒体とを含む。
【０１０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０７】
１  炊飯器本体、２  蓋体、２ａ  蒸気排出口、３  開ボタン、４ａ  蓋ヒータ、４ｂ  保温ヒータ、４ｃ  誘導コイル、５  液晶表示部、６，６Ａ〜６Ｈ  操作スイッチ、７  内鍋、８  被係止部、９  蓋ロック部、１０ａ  メインＣＰＵ、１０ｂ  サブＣＰＵ、１１ａ，１１ｂ  ＲＯＭ、１２ａ，１２ｂ  ＲＡＭ、１３  冷却ファン、１４  ブザー、１５ａ  温度センサ、１５ｂ  重量センサ、１６  タイマー、２１  外蓋、２２  内蓋、２３  係止部、２４  撹拌モータ、２５  回転体、２６  撹拌体、２７  蓋体側部材、２８  内鍋側部材、２９  回転軸、３０  撹拌体兼用傘ギア、３１Ａ，３２Ａ，３３Ａ  第１撹拌体用ギア、３１Ｂ，３２Ｂ，３３Ｂ  第２撹拌体用ギア、３４Ａ  第１撹拌体用回動軸、３４Ｂ  第２撹拌体用回動軸、４０  絶縁トランス、４１  温度検知回路、４２  チョークコイル、４３  同期検出部、４４  蓋ロック駆動部、４５  ＩＧＢＴ、４６，４９  コンデンサ、４７  電源コード、４８  整流回路、５０ａ，５０ｂ，５０ｃ  電源回路、５１ａ，５１ｂ，５１ｃ  リレー、５２  発振回路、５３  リセット回路、５４ａ，５４ｂ  通信部、５５  着脱検知部、５６  蓋開閉検知部、５７  モータ駆動回路、５８  ファン駆動回路、５９  カレントトランス、６１，６１Ａ〜６１Ｈ  インジケータ、１００  炊飯器、４７０  商用電源。
【図１】
2014014426.tif 000003
【図２】
2014014426.tif 000004
【図３】
2014014426.tif 000005
【図４】
2014014426.tif 000006
【図５】
2014014426.tif 000007
【図６】
2014014426.tif 000008
【図７】
2014014426.tif 000009
【図８】
2014014426.tif 000010
【図９】
2014014426.tif 000011
【図１０】
2014014426.tif 000012
【図１１】
2014014426.tif 000013